(57)【特許請求の範囲】
【請求項１】
掃除機の吸引ホース側に接続される排出口部と外気が吸引される吸引口部とを有するケースと、
前記ケースの吸引口部に取り付けられ、複数の吸引孔を有する吸引板と、
前記吸引板に設けられる回転軸と、
前記回転軸の周りに前記回転軸の周方向の一方側へ傾く状態で取り付けられる複数の羽根部と、
前記回転軸の周りに取り付けられ、前記吸引板の内面に摺接する複数の刃部とを備え、
前記ケース内に生じる気流を受ける前記複数の羽根部が前記回転軸の周りで回転することにより、前記複数の刃部が前記回転軸の周りに回転する毛刈り用アタッチメントにおいて、
前記羽根部と前記刃部とがシート状に一体に形成されている羽根付き刃を有し、
前記回転軸に回転可能に支持される回転ホルダを備え、前記回転ホルダが前記回転軸を中心に放射状に延びる複数のアーム部を有し、前記羽根付き刃が前記アーム部のそれぞれに着脱可能に取り付けられ、
前記吸引板が円板から形成されており、前記回転軸が前記吸引板の中心に配置されており、それぞれの前記羽根付き刃の刃部が前記吸引板の径方向に沿って配置され、前記吸引板の吸引孔が前記吸引板の径方向に対して交差する方向に直線状に形成され、
前記羽根付き刃の羽根部が、扇状部と、扇状部の一方の半径側縁部から延び出し前記刃部を固定する固定部とを有し、前記羽根部の扇状部の円弧状外縁が吸引板の外周縁に沿って周方向一方へ向かうにつれて、軸方向一方へ延び出す状態となっていることを特徴とする毛刈り用アタッチメント。
【請求項２】
前記羽根付き刃の羽根部が可撓性を有するものであることを特徴とする請求項１に記載の毛刈り用アタッチメント。
【発明の詳細な説明】
【技術分野】
【０００１】
この発明は、掃除機の吸い込みホース側に取り付けられ、人の毛髪、動物の毛や、衣類やカーペットにできる毛玉などを刈り取る毛刈り用アタッチメントに関する。
【背景技術】
【０００２】
従来、衣類やカーペットにできた毛玉を取り除くために、掃除機の吸い込みホースの先端に取り付けられる毛刈り用アタッチメント（毛玉取り具）が使用されている。この毛刈り用アタッチメントとしては、吸い込みホースの先端に脱着される連結管（ベント管）を有する筒状のケース（筒状ケース）と、ケースの開口部に固定され、多数の吸引孔が形成されている吸引板（衣類当接面）とを有し、ケース内で、風車と回転刃とを連結する回転軸が回転可能に支持されたものである（例えば、特許文献１参照）。
【０００３】
風車は、回転軸の一端部にその軸方向に対して斜めに配置された複数の羽根部を有し、回転刃は、回転軸の他端部に固定され、回転軸周りに放射状に配置される複数の刃部（カッター）を有している。回転刃の複数の刃部が吸引板の内面に摺接している。
【０００４】
この特許文献１に記載された毛刈り用アタッチメントは、掃除機の使用時、ケース内に吸引板から連結管へ向かって気流が生じる。その気流が羽根部に当たることにより風車が回転し、回転軸を介して回転刃の刃部が回転軸周りに回転する。このとき、吸引板を衣類やカーペットに接触させることにより、吸引孔に吸い込まれた毛玉が回転する回転刃の刃部で切断される。切断された毛玉は、ケース内から連結管を経て掃除機の吸い込みホースへ吸い込まれる。これにより、毛刈り用アタッチメントは、掃除機を使用時に連続して衣類やカーペットの毛玉を取り除くことができる、さらに、切断された毛玉はケース内に溜まることなく、掃除機で吸い込まれるためケース内の掃除が不要となる。
【先行技術文献】
【特許文献】
【０００５】
【特許文献１】実開昭６３−１６２８９３号公報
【発明の概要】
【発明が解決しようとする課題】
【０００６】
特許文献１に記載された毛刈り用アタッチメントは、回転軸がその軸方向の途中位置でケースに回転可能に支持されるものである。そして、回転軸は、その軸方向の一端部に風車が固定され、回転軸の軸方向の他端部に回転刃の刃部が固定されている（特許文献１の第１図参照）。ケースによって、回転軸をその軸心がぶれないように回転可能に支持するには、回転軸の長さを大きくする必要があった。回転軸の長さが大きくなると、ケースをコンパクトに形成することが難しい。
【０００７】
そこで、この発明の課題は、回転軸の長さを小さくすることができる毛刈り用アタッチメントを提供することにある。
【課題を解決するための手段】
【０００８】
上記の課題を解決するため、この発明に係る毛刈り用アタッチメントは、
掃除機の吸引ホース側に接続される排出口部と外気が吸引される吸引口部とを有するケースと、前記ケースの吸引口部に取り付けられ、複数の吸引孔を有する吸引板と、前記吸引板に設けられる回転軸と、前記回転軸の周りに前記回転軸の周方向の一方側へ傾く状態で取り付けられる複数の羽根部と、前記回転軸の周りに取り付けられ、前記吸引板の内面に摺接する複数の刃部とを備え、前記ケース内に生じる気流を受ける前記複数の羽根部が前記回転軸の周りで回転することにより、前記複数の刃部が前記回転軸の周りに回転する毛刈り用アタッチメントにおいて、前記羽根部と前記刃部とがシート状に一体に形成されている羽根付き刃を有する構成を採用することができる。
【０００９】
この構成によると、前記羽根付き刃を回転軸の周りに取り付けることにより、回転軸に羽根部と刃部とを軸方向に間隔をおいて取り付ける必要がなくなる。
【００１０】
前記回転軸に回転可能に支持される回転ホルダを備え、前記回転ホルダが前記回転軸を中心に放射状に延びる複数のアーム部を有し、前記羽根付き刃が前記アーム部のそれぞれに着脱可能に取り付けられている構成を採用することができる。
【００１１】
この構成によると、回転ホルダの複数のアーム部にそれぞれ羽根付き刃が着脱可能に取り付けられているので、必要に応じて、アーム部ごとに羽根付き刃を容易に交換することができる。
【００１２】
前記吸引板が円板から形成されており、前記回転軸が前記吸引板の中心に配置されており、それぞれの前記羽根付き刃の刃部が前記吸引板の径方向に沿って配置され、前記吸引板の吸引孔が前記吸引板の径方向に対して交差する方向に直線状に形成されている構成を採用することができる。
【００１３】
掃除機の使用時、吸引板の吸引孔に吸い込まれた毛が、羽根付き刃の刃部に対して交差する方向に並ぶ状態となる。このように並ぶ毛が、刃部によって、その径方向に沿って内側部分から外側部分により順次切断されて、毛の切断が円滑に行われる。
【００１４】
前記羽根付き刃の羽根部が、扇状部と、扇状部の一方の半径側縁部から延び出し前記刃部を固定する固定部とを有し、前記羽根部の扇状部の円弧状外縁が前記吸引板の外周縁に沿って周方向一方へ向かうにつれて、軸方向一方へ延び出す状態となっている構成を採用することができる。
【００１５】
この構成によると、掃除機の使用時、ケース内に生じる気流の乱れが生じにくくなり、複数の羽根付き刃の回転軸周りの回転速度の変動を抑えることができる。
【００１６】
前記羽根付き刃の羽根部が可撓性を有するものである構成を採用することができる。この場合、ケース内に生じる気流の速度が大きくなると、羽根付き刃の羽根部の回転軸の中心軸に対する傾きが小さくなる。その一方、ケース内に生じる気流の速度が小さくなると、羽根付き刃の羽根部の回転軸の中心軸に対する傾きが大きくなる。
【発明の効果】
【００１７】
この発明に係る毛刈り用アタッチメントは、複数の羽根付き刃を回転軸に取り付けることにより、回転軸に羽根部と刃部とを回転軸の軸方向に間隔をおいて取り付ける必要がなくなり、回転軸の長さを小さくコンパクトに製作することができる。
【図面の簡単な説明】
【００１８】
【図１】この発明の実施形態に係る毛刈り用アタッチメント示す一部切り欠き斜視図
【図２】同上の毛刈り用アタッチメントを示す分解斜視図
【図３】同上の毛刈り用アタッチメントの断面図
【図４】同上の毛刈り用アタッチメントのケースを外した状態を示す平面図
【図５】図４中のＡ−Ａ線における断面図
【図６】図４中のＢ−Ｂ線における断面図
【図７】同上の回転ホルダへの羽根付き刃の取り付けを示す平面図
【図８】（ａ）同上の回転ホルダへの羽根付き刃の取り付け前の状態を示す斜視図、（ｂ）同上の回転ホルダへの羽根付き刃の取り付け後の状態を示す斜視図
【図９】同上の毛刈り用アタッチメントを示す底面図
【図１０】同上の毛刈り用アタッチメントの使用状態を示す説明図
【図１１】同上の毛刈り用アタッチメントの他の使用状態を示す説明図
【発明を実施するための形態】
【００１９】
以下、この発明の実施形態を図面に基づいて説明する。この発明の実施形態に係る毛刈り用アタッチメント１０を図１〜９に示す。図１に示すように、毛刈り用アタッチメント１０は、掃除機Ｃの吸引ホースＨ側に接続される排出口部１２と外気が吸引される吸引口部１３とを有するケース１１と、ケース１１の吸引口部１３に取り付けられ、複数の吸引孔１５を有する吸引板１４と、吸引板１４に設けられる回転軸１６と、回転軸１６に回転可能に支持される回転ホルダ１７と、回転ホルダ１７に複数取り付けられる羽根付き刃１８とを備える。
【００２０】
明細書中において、「軸方向」とは、特に言及しない限り、回転軸１６の中心軸に沿った方向のことをいう。「周方向」とは、特に言及しない限り、回転軸１６周りの周方向のことをいう。
【００２１】
ケース１１は、樹脂製の透明な筒状部材から形成されている。ケース１１は、円筒状の胴部１１ａと、胴部１１ａの軸方向一端側に位置する肩部１１ｂとが一体に形成されている。胴部１１ａの軸方向他端縁が吸引口部１３となっている。図２に示すように、胴部１１ａの軸方向他端側の外周部には、多条ねじとなるねじ山１１ｄが形成されている。
【００２２】
肩部１１ｂは、軸方向一方へ向かうにつれて外形寸法が小さくなっている。肩部１１ｂの軸方向一端部に円筒状のジョイント部１１ｃが同軸状に接続されている。ジョイント部１１ｃの軸方向一端縁が排出口部１２となっている。ジョイント部１１ｃは、掃除機Ｃの吸引ホースＨ側に接続される。ここで、掃除機Ｃの吸引ホースＨ側に接続とは、掃除機Ｃの吸引ホースＨの先端に接続される場合のみならず、掃除機Ｃの吸引ホースＨに連結される各種ヘッドやノズルなどに接続される場合や、掃除機Ｃの吸引ホースＨが接続される吸引口部に接続される場合を含む。
【００２３】
図２に示すように、吸引板１４は金属製の円板から形成されている。吸引板１４は、中央に位置するハブ部１４ａと、ハブ部１４ａから放射状に延びる複数となる４本のリブ部１４ｂと、周方向に隣り合うリブ部１４ｂの間に形成される複数の吸引孔１５とを有する。それぞれのリブ部１４ｂは周方向に等間隔に配置されている。複数の吸引孔１５は、周方向に隣り合うリブ部１４ｂの間において、吸引板１４の径方向に対して直交する方向に沿って設けられている。周方向に隣り合うリブ部１４ｂの間に設けられるそれぞれの吸引孔１５は、径方向に沿って等間隔に配置され、周方向の中央部分で径方向に延びる補強リブ部１４ｃで分割されている。なお、複数の吸引孔１５は、吸引板１４の径方向に対して交差する方向に沿って形成されていればよい。
【００２４】
図３に示すように、吸引板１４の外周部に円筒状の固定枠１９が嵌め合わされている。固定枠１９の内径寸法は、吸引板１４の外径寸法よりもわずかに大きい。固定枠１９は、内周部の軸方向他端縁に形成される係合部１９ａと、内周部に形成される多条ねじとなるねじ山１９ｂとを有する。係合部１９ａは固定枠１９の全周に形成されている。係合部１９ａの内径寸法は、吸引板１４の外径寸法よりもわずかに小さい。係合部１９ａが固定枠１９内に嵌め合わされた吸引板１４の外周部を支持する。なお、係合部１９ａを固定枠１９に間欠的に形成してもよい。
【００２５】
固定枠１９のねじ山１９ｂはケース１１のねじ山１１ｄとねじ結合する。ケース１１に固定枠１９をねじ込むことで、ケース１１の軸方向他端縁と固定枠１９の係合部１９ａとの間に吸引板１４の外周部が挟まれる状態となる。
【００２６】
吸引板１４のハブ部１４ａに回転軸１６が設けられている。図５に示すように、回転軸１６は、吸引板１４に設けられるおねじ２０と、おねじ２０にねじ結合するめねじ２１とで形成されている。おねじ２０は、ねじ部が吸引板１４のハブ部１４ａに挿通されている。めねじ２１の軸方向一端には、円錐台形のストッパ２１ａとつまみ部２１ｂとが一体に形成されている。めねじ２１の外周部に回転ホルダ１７、円環状のゴムパッキン２２およびワッシャ２３が挿通されている。めねじ２１の軸方向他端部は吸引板１４に接する状態となっている。
【００２７】
図７に示すように、回転ホルダ１７は、回転軸１６が挿通される軸受部１７ａと、軸受部１７ａから放射状に延びる複数となる４本のアーム部１７ｂとを有する。それぞれのアーム部１７ｂは所定幅を有し、９０度となるように配置されている。アーム部１７ｂは、周方向一方側の辺縁部に一体に形成される一対の係合爪１７ｃを有する。アーム部１７ｂの周方向他方側の辺側縁に沿う直線が回転軸１６の中心を通る状態にある。
【００２８】
一対の係合爪１７ｃは、アーム部１７ｂの長さ方向両側に配置されている。図８（ａ）に示すように、一対の係合爪１７ｃは周方向一方へ向かうにつれて軸方向他方へ延び出す延出部分からアーム部１７ｂの長さ方向内向きに突出して形成されている。
【００２９】
それぞれのアーム部１７ｂと一対の係合爪１７ｃとの間には羽根付き刃１８が取り付けられている。図２に示すように、羽根付き刃１８は、羽根部１８ａと羽根部１８ａに固定される刃部１８ｂとを有するシート状に形成されている。羽根部１８ａは、９０度の扇形をなす扇状部と、その扇状部の一方の半径側縁部から延び出し、刃部１８ｂが固定される固定部１８ｃとを有するものである。羽根部１８ａは固定部１８ｃ寄り位置の両縁に切り欠き部１８ｄが形成されている。この切り欠き部１８ｄは、アーム部１７ｂの一対の係合爪１７ｃに係合するようになっている。羽根部１８ａは、可撓性を有する２枚のシート状物を重ね合わせて形成されている。羽根部１８ａの２枚のシート状物の固定部１８ｃとなる部分の間に刃部１８ｂが挟み込まれており、刃部１８ｂの一部が露出している。
【００３０】
刃部１８ｂは、矩形の金属刃であって、アーム部１７ｂの長さ方向の全長にわたって断面先鋭状に形成されている。刃部１８ｂは、羽根付き刃１８がアーム部１７ｂに取り付けられている状態で、吸引板１４の内面に線状に摺接するものである。
【００３１】
羽根付き刃１８は、刃部１８ｂがアーム部１７ｂよりも軸方向他端部側に位置する状態で、アーム部１７ｂと一対の係合爪１７ｃとの間に配置されている。羽根部１８ａの切り欠き部１８ｄにはそれぞれの係合爪１７ｃが係合している。羽根付き刃１８は、回転軸１６の中心軸に対して周方向一方側に傾き、かつ刃部１８ｂの先端縁が吸引板１４の内面に線状に摺接する状態でアーム部１７ｂに取り付けられる。
【００３２】
羽根付き刃１８は、アーム部１７ｂに対して着脱可能となっている。羽根付き刃１８の取り付けは、切り欠き部１８ｄを互いに接近させるように羽根部１８ａを撓ませつつ、刃部１８ｂをアーム部１７ｂよりも軸方向他端側に位置する状態で、切り欠き部１８ｄをアーム部１７ｂの係合爪１７ｃに係合させることでなされる。その一方、羽根付き刃１８の取り外しは、切り欠き部１８ｄを互いに接近させるように羽根部１８ａを撓ませつつ、切り欠き部１８ｄをアーム部１７ｂの係合爪から離脱させることでなされる。
【００３３】
羽根付き刃１８は、アーム部１７ｂに取り付けられている状態で、羽根部１８ａの扇状部がアーム部１７ｂよりも軸方向の一方側に位置している。このとき、羽根部１８ａの扇状部の円弧状外縁が、吸引板１４の外周縁に沿って周方向一方へ向かうにつれて、軸方向一方へ延び出す状態となる。この状態の羽根部１８ａは、吸引板１４の吸引孔１５からケース１１の排出口部１２へ向かってケース１１内に生じる気流を受けるものである。気流を受けた羽根部１８ａは回転ホルダ１７に周方向他方側へ回転する。回転ホルダ１７の回転により、羽根付き刃１８の刃部１８ｂが吸引板１４の内面に対して摺接しながら回転する。
【００３４】
この発明の実施形態に係る毛刈り用アタッチメント１０は、以上のように構成される。この実施形態に係る毛刈り用アタッチメント１０は、図１０に示すように、掃除機Ｃの吸引ホースＨの先端にケース１１のジョイント部１１ｃを接続する。掃除機Ｃの電源を入れると、吸引ホースＨの先端から空気が吸引され、吸引板１４の複数の吸引孔１５からケース１１の排出口部１２へ向かってケース１１内に気流が生じる。
【００３５】
この気流を羽根付き刃１８の羽根部１８ａが受ける。気流を受けた羽根部１８ａは回転ホルダ１７に周方向他方側へ回転する。回転ホルダ１７の回転により、羽根付き刃１８の刃部１８ｂが吸引板１４の内面に対して摺接しながら、回転軸１６の周りを回転する。この回転状態でケース１１を手に持ち、例えば、ペットＰ（図１０では犬）の体表に沿って吸引板１４を移動させる。このとき、ペットＰの毛は吸引孔１５からケース内に吸い込まれて、その毛の一部が羽根付き刃１８の刃部１８ｂによって切断されていく。切断された毛は、ケース１１内に生じる気流とともに、排出口部１２から吸引ホースＨ内をとおり掃除機Ｃ内へ吸引される。このように、切断された毛は、ペットＰの周りに落ちることなく、掃除機Ｃ内に吸引されるので、地面や床面の清掃が不要となる。
【００３６】
また、毛刈り用アタッチメント１０は、上記回転状態で、人の頭皮に沿ってケース１１を移動させることにより、人の毛髪を刈り、刈った毛を掃除機Ｃ内に吸引することができる。さらに、衣類やカーペットの表面に沿ってケース１１を移動させることにより、毛玉を刈り取り、掃除機Ｃ内に吸引することができる。なお、図１１に示すように、毛刈り用アタッチメント１０は、掃除機Ｃの吸引口部に直接的に接続することもできる。
【００３７】
さらに、毛刈り用アタッチメント１０においては、ケース１１内に生じる気流を受ける羽根部１８ａと、吸引板１４の内面に対して摺接する刃部１８ｂが、シート状の羽根付き刃１８として一体に形成されている。そして、羽根付き刃１８は回転ホルダ１７のアーム部１７ｂに取り付けられている。このため、この回転ホルダ１７の軸受部１７ａを支持する回転軸１６はその長さを小さくすることができる。
【００３８】
また、羽根付き刃１８は、回転ホルダ１７の複数のアーム部１７ｂにそれぞれ着脱可能に取り付けられている。このため、刃部１８ｂが欠けたり、刃部１８ｂの切れ味が悪くなったりした場合に、羽根付き刃１８をアーム部１７ｂから取り外して、容易に交換することができる。
【００３９】
さらに、図９に示すように、吸引板１４は、複数の吸引孔１５が径方向に直交する方向に沿って形成されるものである。これにより、吸引板１４の吸引孔１５に吸い込まれた毛が、羽根付き刃１８の刃部１８ｂに対して直交する方向に並ぶ状態となる。このように並ぶ毛が、刃部１８ｂによって、その径方向の内側部分から外側部分により順次切断されて、毛の切断が円滑に行われる。
【００４０】
羽根付き刃１８の羽根部１８ａは、扇状部と扇状部の一方の半径側縁部から延び出し刃部１８ｂを固定する固定部１８ｃとを有している、羽根部１８ａの扇状部の円弧状外縁は、吸引板１４の外周縁に沿って周方向一方へ向かうにつれて、軸方向一方へ延び出す状態となっている。このため、掃除機Ｃの使用時、ケース１１内に生じる気流の乱れが生じにくくなり、複数の羽根付き刃１８を取り付けた回転ホルダ１７の回転速度の変動を抑えることができる。
【００４１】
羽根部１８ａは可撓性を有するものであるので、ケース１１内に生じる気流の速度が大きくなると、羽根部１８ａの回転軸１６の中心軸に対する傾きが小さくなる。その一方、ケース１１内に生じる気流の速度が小さくなると、羽根部１８ａの回転軸１６の中心軸に対する傾きが大きくなる。その結果、掃除機の機種により、ケース１１内に生じる気流の速度が変化しても、回転ホルダ１７の回転速度の変動を抑えることができる。
【符号の説明】
【００４２】
１０  毛刈り用アタッチメント
１１  ケース
１１ａ  胴部
１１ｂ  肩部
１１ｃ  ジョイント部
１１ｄ  ねじ山
１２  排出口部
１３  吸引口部
１４  吸引板
１４ａ  ハブ部
１４ｂ  リブ部
１４ｃ  補強リブ部
１５  吸引孔
１６  回転軸
１７  回転ホルダ
１７ａ  軸受部
１７ｂ  アーム部
１７ｃ  係合爪
１８  羽根付き刃
１８ａ  羽根部
１８ｂ  刃部
１８ｃ  固定部
１８ｄ  切り欠き部
１９  固定枠
１９ａ  係合部
１９ｂ  ねじ山
２０  おねじ
２１  めねじ
２１ａ  ストッパ
２１ｂ  つまみ部
２２  ゴムパッキン
２３  ワッシャ
Ｃ  掃除機
Ｈ  吸引ホース
Ｐ  ペット
【要約】      （修正有）【課題】回転軸の長さを小さくすることができる毛刈り用アタッチメントを提供する。【解決手段】毛刈り用アタッチメント１０は、掃除機の吸引ホース側に接続されるケース１１の吸引口部１３に、複数の吸引孔１５を有する吸引板１４が取り付けられ、吸引板１４に設けられる回転軸１６に回転可能に回転ホルダ１７が取り付けられ、回転ホルダ１７は回転軸１６を中心に放射状に４本のアーム部１７ｂを有し、それぞれのアーム部１７ｂに羽根付き刃１８が着脱可能に取り付けられ、羽根付き刃１８が扇状の羽根部１８ａと羽根部１８ａに固定される刃部１８ｂとを有するシート状に形成されている。【選択図】図１【図１】
0006911179.tif 000002
【図２】
0006911179.tif 000003
【図３】
0006911179.tif 000004
【図４】
0006911179.tif 000005
【図５】
0006911179.tif 000006
【図６】
0006911179.tif 000007
【図７】
0006911179.tif 000008
【図８】
0006911179.tif 000009
【図９】
0006911179.tif 000010
【図１０】
0006911179.tif 000011
【図１１】
0006911179.tif 000012